(57)【要約】【課題】家具等の転倒防止具を配設する場合において、レールを埋設する箇所では、側壁を覆うクロスの端部から、クロスがめくれて仕舞い、側壁が見苦しいものになっていた。【解決手段】側壁３に埋め込まれて水平方向に固設されるレール４と、該レール４に沿って左右方向に摺動自在に配設される側面視Ｌ字状の押え部材１３と、両部材４・１３を固定する固定部材１４・１５・１６とからなり、該レール４は、側面端面視において略横Π字形に形成され、側壁３側の上下方向に伸びた板状４ｅの支持部から上下一対のガイド部４ａが水平方向に室内側に突出され、該ガイド４ａ部の先端の上部４ｂ及び下部４ｂから室内側壁３のクロス７の端部を噛むように形成された突出部４ｃ・４ｃを設けた。【選択図】図９
2006034824.tif 000002
【特許請求の範囲】
【請求項１】
室内の側壁に配設される家具の転倒防止具であって、
該転倒防止具を、側壁に埋め込まれて固設されるレールと、該レールに沿って摺動自在とした側面視Ｌ字状の押え部材と、該押え部材をレールに固定する固定部材とにより構成し、
前記レールを、側面端面視において略Π字形に形成し、前記レールの一対の先端ガイド部のみが側壁の表面から突出してクロスを噛むように構成した、
ことを特徴とする転倒防止具。
【請求項２】
前記垂直ステーに、側面視において室内側に出っ張った複数の出っ張り部を形成した、ことを特徴とする請求項１に記載の転倒防止具。
【発明の詳細な説明】
【技術分野】
【０００１】
本発明は、地震などの際の家具の転倒防止具の技術に関する。
【背景技術】
【０００２】
従来より、地震時等のための家具の転倒防止具は様々な種類のものが開発されたり、市販されたりして、公知となっている。具体的には、家具の天板と部屋の天井に突っ張り棒を入れて支えるタイプ（タイプ１とする。）や、側壁に直接転倒防止金具をビス止めするタイプ（タイプ２とする。）や、側壁にレール上のバー材を取り付けて、該バー材に転倒防止金具を固定するタイプ（タイプ３とする。）等が挙げられる。特に、タイプ２の転倒防止金具に関しては、多くの種類の形状が公知となってる。
タイプ３においては、側壁に上、下に溝部を有するレールを設けておき、家具の上面に取り付けられる水平押え部材と、上下に延長する長孔を設けた立ち上がり片と、該立ち上がり片に長孔を介してボルト等によって取り付けられる接続片と、該レール溝に係合して接続片と連結される押え部材とを具備するものが公知となっている（例えば、特許文献１参照。）。また、レールを側壁内に埋め込ませる技術も公知となっている（例えば、特許文献２参照）。
【特許文献１】特開平８−３０８６６０号公報
【特許文献２】特開平１０−１１３２４２号公報
【発明の開示】
【発明が解決しようとする課題】
【０００３】
しかし、前記タイプ１の転倒防止具においては、見た目が悪く、天井に強度が無い場合は支えが利かないという欠点があった。また、前記タイプ２の転倒防止具においては、家具の位置を変えたときに、ビス止めのあとの孔が空いたままで残り、見苦しかった。また、取り付け時にも、下地桟の位置がわかり難く、穴あけに失敗してしまうようなことも多々あった。また、前記タイプ３の転倒防止具においては、取り付けレールが後付け式のものがほとんどであり、その場合は該取り付けレールが側壁から飛び出ており、目障りで、奥行き寸法にとっても邪魔であった。
そして、特許文献１の転倒防止具においては、前記タイプ３の場合と同じく、レールが側壁から飛び出した状態となっており、レールや取り付け部材等が目障りで邪魔であった。また、水平押え部材をボルトやねじで家具の上面に取り付ける構成となっており、家具の上面に孔が空いてしまっていた。加えて、取り付け部材の数が多く、製作に時間と手間と費用がかかっていた。
そして、特許文献２には、レールを側壁内に埋め込む技術が開示されているが、水平方向に家具を押える部材が移動できず住人にとって不便であり、尚且つ取り付け具の機構が複雑で製作するのが面倒であった。また、レールを埋設する箇所では、側壁を覆うクロスの端部から、クロスがめくれてしまい、側壁が見苦しいものになっていた。
【０００４】
また、従来の押え部材はボルトやねじ等で、レールに締め付けられるように取り付けられていたので、地震時等に下方から突き上げるような力が押え部材に加わった場合に、押え部材はレールとの間の摩擦力のみによって該下方からの力に対抗していた。そのため、地震が何回も起きた場合は、徐々に押え部材の締め付け力が弱っていき、何度目かの地震の時に、押え部材が上方にずれてしまうことがあった。また、非常に大きな揺れが生じた場合に、摩擦力だけでは下方からの突き上げ力に対抗できずに、押え部材が上方にずらされてしまうということもあった。
【課題を解決するための手段】
【０００５】
本発明の解決しようとする課題は以上の如くであり、次にこの課題を解決するための手段を説明する。
【０００６】
即ち、請求項１においては、室内の側壁に配設される家具の転倒防止具であって、
該転倒防止具を、側壁に埋め込まれて固設されるレールと、該レールに沿って摺動自在とした側面視Ｌ字状の押え部材と、該押え部材をレールに固定する固定部材とにより構成し、
前記レールを、側面端面視において略Π字形に形成し、前記レールの一対の先端ガイド部のみが側壁の表面から突出してクロスを噛むように構成したものである。
【０００７】
請求項２においては、前記垂直ステーに、側面視において室内側に出っ張った複数の出っ張り部を形成したものである。
【発明の効果】
【０００８】
本発明の効果として、以下に示すような効果を奏する。
【０００９】
請求項１においては、ビス止め等を必要としないので、家具の位置を変えても、ビス止めのあとの孔が残らず、側壁の見た目を改善することができた。また、レールの取り付けに関しても、側壁の施工時にレールの取り付けを同時に行うため、下地桟の位置を探すことに手間取ったり、穴あけに失敗してしまうこともなくなった。そして、レールが側壁に埋設されているため、レールや取り付け部材等が目障りになったり、邪魔になったりしなくなった。また、レールや押え部材の構成が非常に単純であり、押え部材の製作やレールの配設を容易に行いつつ、家具の大きさや位置に合わせて、押え部材を上下左右に簡単に移動させることが可能となった。加えて、レールを埋設する箇所においても、レールの室内面の突出部によって、クロスの端部を、側壁に押さえつけて噛ませるので、クロスめくれが起こらず、側壁の体裁もよくなった。
つまり、レールを側壁から突出させずに、クロスめくれも防ぎ、押え部材が上下左右に移動可能になったわけである。
【００１０】
請求項２においては、従来の押え部材のように、地震時等に下方から突き上げるような力が押え部材に加わった場合に、レールとの間の摩擦力のみによって該下方からの力に対抗するのではなく、室内側に突出した出っ張り部上面にねじの下端がぶつかることによっても下方からの力に対抗することが可能となった。その結果、地震が何回も起きて、徐々に押え部材の締め付け力が弱ってしまった場合でも、地震時の下方からの強力な突き上げに出っ張り部上面とねじの下端がぶつかることで、押え部材が上方にずらされることを防ぐことができる。また、非常に大きな揺れが生じた場合にも、摩擦力に加え、出っ張り部上面とねじの下端がぶつかることで、押え部材が上方にずらされてしまうこと防ぐことができる。
【実施例１】
【００１１】
次に、発明の実施の形態を説明する。
図１は本発明の一実施例に係る転倒防止具１の使用例を示した斜視図、図２は家具等２を配設する前の室内を示した斜視図、図３はレール４と室内側壁３内部を示した側面断面図、図４はレール４の構成を示した断面斜視図、図５は押え部材１３を示した側面断面図、図６は同じく正面図、図７は同じく斜視図、図８はレール内部材１４を示した斜視図、図９は固設方法１を示した摺動部材５及びレール４の側面断面図、図１０は固設方法２を示した摺動部材５及びレール４の側面断面図、図１１は押え部材１３の別実施例を示した斜視図、図１２は押え部材１３の別実施例を示した側面断面図である。
【００１２】
本発明の転倒防止具１は、図１に示すように、室内に設置する家具等２を上面から押えて、地震時等に家具等２が倒れたりしないようにするためのものである。
そして、転倒防止具１は、大きく分けて、室内の側壁３に設けられ、水平方向に延長したレール４と、レール４に沿って水平方向に摺動自在な摺動部材５とから構成されている。
【００１３】
まず、レール４の構成について説明する。
図２、図３に示すように、レール４は家具等２を配置する前に、住宅自体の施工時等に窓１９等が配設されない室内側壁３に設置されるものであり、レール４を設置する高さＡは、室内の床面８から２ｍ程度であることが好適である。しかし、後述するように、側壁３の裏側の下地桟９が配設されている高さにレール４を配設する必要があるので、床面から２ｍ付近の高さであり、側壁３の裏側に下地桟９がある高さにレール４が配設されることになる。
そして、図３の側面断面図に示すように、レール４は室内の側壁３内に埋め込まれるような構成となっており、住宅等自体や室内の側壁３施工時に配設されるものである．また、レール４は、ステンカラー色のアルミ押出し形材等の美しい外観にし、できるだけ縦方向の高さを短く形成し、室内側壁面に該レール４が付いていることを目立たなくさせる。
側壁３は、石膏ボード６等で構成されており、石膏ボード６の室内側にはクロス７が貼られている。クロス７は、室内の美観を高めるために、石膏ボード６を形成した後に、住宅等の住人の好みのデザインのものを貼り付けるものである。
【００１４】
石膏ボード６の更に外側には、図３に示すように、断熱材１０が配設され、冬場であったり、室内でエアコンディショナーを使用している場合に、室内を快適な温度に保てるように構成されている。そして、下地桟９や断熱材１０の更に外側に、住宅等の外側壁や躯体１１が設けられている。住宅の間仕切部の場合は、断熱材１０がなく、下地桟９を挟んで反対の室内側に石膏ボード６及びクロス７を配設するものとする。
石膏ボード６やクロス７は、レール４を配設する部分が、すなわち室内の床面８から２ｍ程度の高さであって、側壁３の裏側に下地桟９がある部分が、該レール４が挟み込める程度の高さの幅で開放されており、該開放部分３ｂにレール４を挟み込めるように構成されている。
【００１５】
図３及び図４に示すように、レール４は、側壁３に沿って左右水平方向に延設され、側面断面視において、略横Π字形に形成されてアルミ押し出し材等で構成される。側壁３の上下方向に伸びた板状の支持部４ｅからは上下一対のガイド部４ａ・４ａが平行に水平方向に室内側に突出されて、ガイド部４ａ・４ａの先端が開放された構成となっている。そして、ガイド部４ａ・４ａの先端の上下面を室内面４ｂ・４ｂとして、該室内面４ｂ・４ｂはそれぞれ上下方向に所定の幅を有し、上部の室内面４ｂから上方に、下部の室内面４ｂから下方にそれぞれ突出部４ｃ・４ｃが形成されており、該突出部４ｃとガイド部４ａと支持部４ｅで囲まれた部分で石膏ボード６を支持し、突出部４ｃの内面がクロス７を室内側から側壁３へ押え込むようにしている。また、上部の室内面４ｂから下方に、下部の室内面４ｂから上方にそれぞれ突出した部分で後述するレール内部材１４の上端と下端を係止できるようにしている。こうして、室内面４ｂ・４ｂができるだけ室内側に突出しないように構成している。該レール４は、支持部４ｅの上下中途部のガイド部４ａ・４ａ間に、左右方向で適宜間隔を開けてネジ孔４ｄを開口し、ネジ１２または釘等を打ち込んで、レール４を下地桟９に固設するものである。
レール４における上下方向に伸びた支持部４ｅ・４ｅは石膏ボード６の裏面に接するように形成されており、これによって、下地桟９でレール４を介して石膏ボード６の下端または上端を安定して強固に支持することができる。
【００１６】
次に、レール４に沿って、左右方向に摺動自在に移動することが可能な、摺動部材５について説明する。
図５乃至図７に示すように、家具等の天板部分を支持する摺動部材５は、側面視において略Ｌ字状に形成された押え部材１３と、正面視において略方形状に形成されたレール内部材１４と、押え部材１３に接して室内側に配設されるリング状部材１６と、それ等のリング状部材１６と押え部材１３とレール内部材１４を締め付けて相対回転不能に固定する締結部材となるネジ１５と、によって構成されている。
【００１７】
押え部材１３は、クロス７を汚さないようにステンレス等の錆びない材料で構成されており、一枚の板状部材を折り曲げて、垂直ステー１３ｂと水平ステー１３ｃとにより側面視において略Ｌ字状に形成されている。水平ステー１３ｃの下面にはゴム等の弾性部材２１が貼設され、滑り難くするとともに、地震の時の大きなショックを和らげるようにして、損傷を防止できるようにしている。そして、該垂直ステー１３ｂと水平ステー１３ｃの境目部分に補強部１３ｄが形成されて、家具等２を強い力で押えても曲がってしまわないようになっている。補強部１３ｄの形状は、図５および図７に示すように、側面視において略直角三角形の形状をしており、図７のように丸みを帯びた形状でも良いし、図１１のように角張った形状の補強部１３ｉでも良い。垂直ステー１３ｂには、上下方向に延長された長孔１３ｅが形成されており、該長孔１３ｅをネジ１５が貫通できるようになっている。
リング状部材１６は、ネジ１５を貫通させるために、正面視において中央部に孔１６ｂが開いており、室内側となる正面と側壁３側となる裏面が平らに形成されており、ネジ１５やレール４の室内面４ｂとの間に生じる摩擦力が大きくなるように形成されている。リング状部材もクロス７を汚さないように、ステンレス等の錆びない材料で構成することが好適である。
【００１８】
レール内部材１４は、図８に示すように、正面視において長軸と短軸によって囲まれた略長方形形状に形成された板状部材であり、正面視において中央部にネジ１５が螺装されるねじ孔１４ｂが形成されている。そして、短軸の長さＣが、図３に示すレール４の開放部の高さＥより短く、長軸の長さＤがレール４の開放部の高さＥより長く、ガイド部４ａ・４ａ間の長さよりも長くなるように形成されるものである。レール内部材１４は、このような形状に形成されているため、レール４が配設された後でも、レール４内に嵌め込むことが可能となる。すなわち、ネジ１５の先端にレール内部材１４を螺装して、レール内部材１４を短軸が上下方向となるように保持しながらレール４内部へ挿入する。
【００１９】
この状態でネジ１５を締めつける方向に回すことにより、ネジ１５の回転とともに連れ回りしても、レール内部材１４の上部と下部がレール４のガイド部４ａ・４ａ内面に当たるため、レール内部材１４を締付け固定する時に保持する必要がないのである。
ただし、レール内部材１４の短軸方向の長さＣをレール４の開放部の高さＥよりも若干長くしても良い。すなわち、レール内部材１４を短軸が上下方向になるように保持し、その後側壁３方向に倒した（図５上の側面視において、レール内部材１４を左方向に傾倒させた）状態で、レール４内に挿入するのである。こうすることで、レール４から容易に出すことが出来ないようになり、取付時の作業が簡単に行える。
【００２０】
このように、レール内部材１４を長軸が左右方向となるように保持しながら、押え部材１３をレール４の外側にレール４に接するように保持して、押え部材１３の長孔１３ｅの位置がレール内部材１４のねじ孔１４ｂと対向する位置に来るようにする。そして、レール内部材１４のねじ孔１４ｂと押え部材１３の長孔１３ｅの位置が、正面視で左右方向の位置が一致した状態で、正面視においてレール内部材１４のねじ孔１４ｂと押え部材１３の長孔１３ｅの位置と孔１６ｂが一致するようにリング状部材１６を、押え部材１３の室内側に押え部材１３に接するように、位置させる。
【００２１】
そのように、レール内部材１４と押え部材１３とリング状部材１６を保持した状態で、ネジ１５を、室内側から孔１６ｂ、長孔１３ｅの順に貫通させ、ねじ孔１４ｂに嵌入させる。図９に示すように、レール内部材１４の長軸方向の長さＣがレール４の開放部の高さＥより長いため、レール内部材１４と押え部材１３との間には、レール４の室内面４ｂを挟み込めるようになっている。そして、ネジ１５をレール内部材１４の奥に嵌入すればするほど、レール内部材１４と押え部材１３とリング状部材１６が互いに締め付けられ、それ等のレール内部材１４と押え部材１３とリング状部材１６との間に生じる摩擦力が大きくなり、レール内部材１４と押え部材１３とリング状部材１６とが相対回転しないように固定される。
【００２２】
同時に、レール内部材１４と押え部材１３によって、レール４の室内面４ｂを締め付ける力も大きくなるので、押え部材１３等はレール４に対しても相対回転しないようになる。そして、押え部材１３とレール４との間に生じる摩擦力が大きくなればなるほど、押え部材１３も上下方向に移動し難くなる。
また、押え部材１３の回転を防ぐために、水平ステー１３ｃにねじ孔１３ｈを形成しておき、ねじ等２０によって家具等２と水平ステー１３ｃを固定しても良い。そして、ねじ孔１３ｈは、図７に示すように、ネジ２０が貫通できる幅を持つ長孔にしても良い。
【００２３】
以上のように、摺動部材５を左右方向に移動しないように、そして回転しないように強固に保持し、合わせて押え部材１３が上下方向に移動してしまわないように強固に保持することができるため、下方から家具等２の上面が押え部材１３の水平ステー１３ｃを突き上げてきても対抗することができ、容易に押え部材１３が上方にずれたり回転してしまうことを防げる。
【００２４】
次に、家具等２の床面８からの高さと、家具を押える押え部材１３の水平ステー１３ｃの床面８からの高さについての関係を説明する。
摺動部材５をレール４に固設する固設方法は、図９に示したように、押え部材１３の水平ステーがレール４の位置より下に位置するように固設する方法（固設方法１とする。）と、図１０に示したように、押え部材１３の水平ステーがレール４の位置より上に位置するように固設する方法（固設方法２とする。）の、２種類の方法が挙げられる。
ここで、図２に示したように、レール４の床面８からの高さをＡとし、図６で示したように、押え部材１３の水平ステー１３ｃから遠い方の長孔１３ｅの端部から水平ステー１３ｃまでの長さをＢ１とし、押え部材１３の水平ステー１３ｃから近い方の長孔１３ｅの端部から水平ステーまでの長さをＢ２とする。
【００２５】
まず、固設方法１を選択した場合の水平ステー１３ｃの床面８からの高さは、一番低い場合で（Ａ−Ｂ１）となり、一番高い場合で（Ａ−Ｂ２）となる。例えばレール４の床面８からの高さを２００ｃｍとし、Ｂ１の長さを５ｃｍ、Ｂ２の長さを３０ｃｍとすると、約１７０ｃｍの家具から１９５ｃｍの高さの家具に対応できる。
一方、固設方法２を選択した場合の水平ステー１３ｃの床面８からの高さは、一番低い場合で（Ａ＋Ｂ２）となり、一番高い場合で（Ａ＋Ｂ１）となる。例えば、レール４の床面からの高さを２００ｃｍとし、Ｂ１の長さを５ｃｍ、Ｂ２の長さを３０ｃｍとすると、約２０５ｃｍの家具から２２５ｃｍの高さの家具に対応できる。
つまり、本実施例の転倒防止具１では、例えば、レール４の床面からの高さを２００ｃｍとし、Ｂ１の長さを５ｃｍ、Ｂ２の長さを３０ｃｍに構成したときは、約１９５ｃｍから約２０５ｃｍの間を除いた、約１７５ｃｍの高さの家具から約２２５ｃｍの高さの家具に対応できることになる。
【００２６】
そのため、室内の床面８から天井１８までの高さや、住宅等の住人の身長等に合わせて購入するであろう家具等２の高さに合わせて、レール４を配設する高さＡや、購入する押え部材１３の大きさ（長さＢ１やＢ２）を選ぶと良い。また、押え部材１３は大きさ（長さＢ１やＢ２）が違う数種類の押え部材１３・１３・・・・を用意しておくとより好適である。
【００２７】
このように、室内の側壁３上部に配設される家具２の転倒防止具１であって、
該転倒防止具１を、側壁３に埋め込まれて固設されるレール４と、該レール４に沿って摺動自在とした側面視Ｌ字状の押え部材１３と、該押え部材１３をレール４に固定する固定部材１４・１５・１６とにより構成し、
前記レール４を、側面端面視において略Π字形に形成し、前記レール４の一対の先端ガイド部４ｂ・４ｃのみが側壁３の表面から突出してクロス７を噛むように構成したので、
換言すれば、該側壁３に埋め込まれて水平方向に固設されるレール４と、該レール４に沿って左右方向に摺動自在に配設される側面視Ｌ字状の押え部材１３と、両部材４・１３を固定する固定部材１４・１５・１６とからなり、
該レール４は、側面端面視において略横Π字形に形成され、側壁３側の上下方向に伸びた板状４ｅの支持部から上下一対のガイド部４ａが水平方向に室内側に突出され、該ガイド４ａ部の先端の上部４ｂ及び下部４ｂから室内側壁３のクロス７の端部を噛むように形成された突出部４ｃ・４ｃを設けたので、
ビス止め等を必要としないので、家具の位置を変えても、ビス止めのあとの孔が残らず、側壁の見た目を改善することができた。また、レール４の取り付けに関しても、側壁３の施工時にレール４の取り付けを同時に行うため、下地桟９の位置を探すことに手間取ったり、穴あけに失敗してしまうこともなくなった。そして、レール４が側壁３に埋設されているため、レール４や取り付け部材等が目障りになったり、邪魔になったりしなくなった。また、レール４や押え部材１３の構成が非常に単純であり、押え部材１３の製作やレール４の配設を容易に行いつつ、家具等２の大きさや位置に合わせて、押え部材１３を上下左右に簡単に移動させることが可能となった。加えて、レール４を埋設する箇所においても、レール４の室内面４ｂの突出部４ｃによって、クロス７の端部を、側壁３に押さえつけて噛ませるので、クロスめくれが起こらず、側壁３の体裁もよくなった。
つまり、レール４を側壁３から突出させずに、クロスめくれも防ぎ、押え部材１３が上下左右に移動可能になったわけである。
【００２８】
押え部材１３の垂直ステー１３ｂにネジ１５を貫通させるため形成した前記長孔１３ｅは、ネジ１５を貫通させられればよいので、長孔形状の孔に限らず、図１１に示したように、上下方向に複数の貫通孔１３ｆ・１３ｆ・・・・を形成したような仕様にしても良い。貫通孔１３ｆ・１３ｆ・・・・を上下方向に複数個形成したため、前述の実施例と同じく、押え部材１３及び水平ステー１３ｃの高さ調節も可能である。また、地震が起こったときなどに、家具等２が縦揺れを起こし、下方から強力な力で水平ステー１３ｃを突き上げても、ネジ１５によって締め付けることによって生じる垂直ステー１３ｂとレール４との摩擦力だけでなく、ネジ１５が挿入された貫通孔１３ｆの下部がネジ１５の下部にぶつかることによっても、押え部材１３が上方にずれてしまうことを防ぐことができる。
ここで、貫通孔１３ｆ・１３ｆ・・・・は、ネジ１５と合致するねじ孔にしても良い。
【００２９】
また、垂直ステー１３ｂの室内側表面に室内側に向けて、出っ張り部を設けるような構成にしても良い。転倒防止具１をこのような構成にした場合も、前述同様、地震が起こったときなどに、家具が縦揺れを起こし、下方から強力な力で水平ステー１３ｃを突き上げても、ネジ１５によって締め付けることによって生じる垂直ステー１３ｂとレール４との摩擦力だけでなく、垂直ステー１３ｂに形成された出っ張り部の上部がネジ１５の下部にぶつかることによっても、押え部材１３が上方にずれてしまうことを防ぐことができる。
【００３０】
また、前記出っ張り部は、突起物のような形状のものに限らず、図１２に示すように、押え部材１３の垂直ステー１３ｇを側面視において波状に形成することによって、垂直ステー１３ｇから室内側に出っ張るような構成としても良い。このような構成にした場合も、前述同様に、地震が起こったときなどに、家具が縦揺れを起こし、下方から強力な力で水平ステー１３ｃを突き上げても、ネジ１５によって締め付けることによって生じる垂直ステー１３ｇとレール４との摩擦力だけでなく、垂直ステー１３ｇに形成された出っ張り１３ｊ・１３ｊ・・・・の上部がネジ１５の下部にぶつかることによっても、押え部材１３が上方にずれてしまうことを防ぐことができる。
また、押え部材１３をこのような形状に形成するには、押え部材１３に切削加工を施して長孔１３ｅをくりぬいた後で、プレス加工等を行って、波形状に変形させる、あるいは出っ張りを形成すれば良い。
【００３１】
このように、前記垂直ステー１３ｂ・１３ｅに、側面視において室内側に出っ張った複数の出っ張り部１３ｊ・１３ｊ・・・・を形成したしたので、
従来の取り付け片や押え部材のように、地震時等に下方から突き上げるような力が押え部材に加わった場合に、レール４との間の摩擦力のみによって該下方からの力に対抗するのではなく、室内側に突出した出っ張り部１３ｊ・１３ｊ・・・・上面にねじ１５の下端がぶつかることによっても下方からの力に対抗することが可能となった。その結果、地震が何回も起きて、徐々に押え部材１３の締め付け力が弱ってしまった場合でも、地震時の下方からの強力な突き上げに出っ張り部１３ｊ・１３ｊ・・・・上面とねじ１５の下端がぶつかることで、押え部材１３が上方にずらされることを防ぐことができる。また、非常に大きな揺れが生じた場合にも、摩擦力に加え、出っ張り部１３ｊ・１３ｊ・・・・上面とねじ１５の下端がぶつかることで、押え部材１３が上方にずらされてしまうこと防ぐことができる。
加えて、非常に簡単な作業でこのような加工を行うことが可能である。
【図面の簡単な説明】
【００３２】
【図１】図１は本発明の一実施例に係る転倒防止具１の使用例を示した斜視図。
【図２】家具等２を配設する前の室内を示した斜視図。
【図３】レール４と室内側壁３内部を示した側面断面図。
【図４】レール４の構成を示した断面斜視図。
【図５】押え部材１３を示した側面断面図。
【図６】同じく正面図。
【図７】同じく斜視図。
【図８】レール内部材１４を示した斜視図。
【図９】固設方法１を示した摺動部材５及びレール４の側面断面図。
【図１０】固設方法２を示した摺動部材５及びレール４の側面断面図。
【図１１】押え部材１３の別実施例を示した斜視図。
【図１２】押え部材１３の別実施例を示した側面断面図。
【符号の説明】
【００３３】
１    転倒防止具
２    家具等
３    側壁
４    レール
４ｂ    室内面
４ｃ    突出部
４ｄ    奥側壁
５    摺動部材
６    石膏ボード
７    クロス
８    床面
９    下地桟
１２    ねじ等
１３    押え部材
１３ｂ    垂直ステー
１３ｃ    水平ステー
１３ｄ    補強部
１３ｅ    長孔
１３ｆ    貫通孔
１３ｇ    垂直ステー
１３ｊ    出っ張り部
１４    レール内部材
１４ｂ    ねじ孔
１５    ねじ
１６    リング状部材
１６ｂ    孔
【図１】
2006034824.tif 000003
【図２】
2006034824.tif 000004
【図３】
2006034824.tif 000005
【図４】
2006034824.tif 000006
【図５】
2006034824.tif 000007
【図６】
2006034824.tif 000008
【図７】
2006034824.tif 000009
【図８】
2006034824.tif 000010
【図９】
2006034824.tif 000011
【図１０】
2006034824.tif 000012
【図１１】
2006034824.tif 000013
【図１２】
2006034824.tif 000014